(57)【要約】      （修正有）【課題】震度７で繰返し地震があっても倒壊しない木質系住宅に必須な室内結露を引起さない透湿抵抗値の低い構造用合板の提供。【解決手段】５枚合わせの構造用合板に角度６０度の正三角形の各点を孔貫通し千鳥配列した孔貫通の構造用合板１０１である。孔貫通は千鳥配列で一列目は正三角形の頂点となっていて、二列目は底辺の二点となり整然と規則的に千鳥配列されていて頂点の孔貫通１１と１２そして孔貫通１９を結ぶと直線となっている。二列目の底辺の孔貫通２１と２２の二点と他の孔貫通２９を結べば直線となっている。底辺の孔貫通２１と２２は二列目ではあるが三列目の頂点の孔貫通２１と２２ともなり四列目また五列目と正三角形の孔貫通が規則的で整然と千鳥配列させる。【選択図】図１
2018087411.tif 000002
【特許請求の範囲】
【請求項１】
透湿抵抗値を低くするために構造用合板の両面が孔貫通しているまたは構造用合板の最終接着面までは孔加工するが最終層の板面だけは孔貫通しないことを特徴とする構造用合板。
【請求項２】
円形の孔貫通は角度６０度の正三角形または逆正三角形をなす千鳥配列で孔貫通したことを特徴とする請求項１に記載の構造用合板。
【請求項３】
円形の孔加工は角度６０度の正三角形または逆正三角形をなす千鳥配列で孔加工したことを特徴とする請求項１に記載の構造用合板。
【請求項４】
孔貫通または孔加工の加工面の範囲は土台や柱、間柱、胴差し、梁、または枠に釘やネジ釘、接着で取付け固定する固定範囲幅を除いたことを特徴とする請求項１から請求項３いずれか一項に記載の構造用合板。
【発明の詳細な説明】
【技術分野】
【０００１】
本発明は構造用合板に孔貫通または孔加工をすることで透湿抵抗値の低い構造用合板に関する。
【背景技術】
【０００２】
２０１１年３月１１日の東北地震以降に国内各地で地震が多くなって来ている。
それにニュースや新聞報道によると既に知られている活断層に限らず未知の活断層が国内各地に数多く存在すると報じられていて、大災害に結び付く地震が何時どこで発生するか限定できないとのことである。
２０１６年に起きた熊本や鳥取地震でも問題となっているが新耐震基準で建てられた耐震化住宅であっても倒壊や傾く建物が多く、居住者の安全安心が未だに確保されていない状態が続いていると言っても過言ではない。
【０００３】
新耐震基準で建てられた木質系の耐震化住宅の多くは繰返し地震にも優れている壁倍率の高い構造用合板を外壁側に用いている。
しかし、構造用合板は透湿抵抗値が高いために外気温が下がる冬場に充填断熱材と構造用合板との境面部から結露が発生し始めるケースが多く、一般的に言う冬型結露である。
壁内結露には冬型結露と夏型結露があり、夏型結露は夏場に居室内を冷やすことで起きる結露である。
いずれにせよ昔の建物は真壁であっても大壁であっても壁を構成する材料の素材自体が透湿性の良い素材を組み合わせていたのに対し、最近の住宅は高気密高断熱をうたい文句に建てられていて、一般的な木造住宅の壁構成としては、室内側から『石膏ボード⇒防湿シート⇒断熱材⇒構造用合板⇒透湿防水シート⇒通気層⇒外壁』となっている。
しかし、防湿シートを張ったとしても完璧な施工は難しく中途半端な施工により小さな隙間から入り込んだ湿気が構造用合板面で冬型結露を発生したりして住宅の劣化を早めていのが現状である。
また、夏場には防湿シート面で夏型結露を発生すなどして住宅の大敵である壁内結露により腐朽菌が増殖し劣化が進み住宅の寿命が短くなっている実態は未だに解決に至っていない。
【０００４】
壁構成材料の透湿抵抗値（工学単位：m2・ｈ・ｍｍHｇ／g）専門書より
・９ｍｍＯＳＢ⇒３１，６
・９ｍｍ構造用合板⇒１６，８
・６０ｍｍ土壁⇒６，１
・１２ｍｍ無機質素材系面材⇒３，０
・９ｍｍ石膏ボード⇒０，４５
・１００ｍｍグラスウール⇒０，０１２
・１００ｍｍロックウール⇒０，０１２
・０，１ｍｍポリエチレン防湿シート⇒３００
・０，２ｍｍ透湿防水シート⇒０，４
【０００５】
上記の壁構成材料の中で耐震面材として多用されているＯＳＢや構造用合板は製造時に使用される接着材によって透湿抵抗値が高くなっているのである。
即ち、木の素材自体は透湿抵抗値が低くても接着材が透湿抵抗値を高くしているのである。
そこで、耐震化住宅には繰返し地震に優れ安価で有利な構造用合板の唯一の弱点である透湿抵抗値が高い問題点を如何にして低くするか、この問題点を解決することができれば壁内に入り込んだ湿気が逃げ易くなり壁内結露が生じ難くなる。
重要なのは気密と断熱性能が高くて呼吸ができる壁構成にできたならば年間を通じて壁内結露の心配がないので住宅の長寿命化が図れるのである。
【０００６】
透湿実験データによれば冬場の期間の評価実験で１m2の９ｍｍ石膏ボードが３００ｃｃに対し、同じ１m2の９ｍｍ石膏ボードに孔貫通面積２平方センチメートルを開けたものは３０００ｃｃと１０倍の透湿が可能となる。
それは、同条件で１m2の９ｍｍ構造用合板では１０ｃｃと殆ど湿気の透過がないのに対して孔貫通面積２平方センチメートルがあれば略３０００ｃｃの透湿が可能となることを示しておりこの点に着目した。
低透湿抵抗値の構造用合板また孔貫通付き構造用合板などを入力しJPlatPatで検索したが見いだすことは出来なかった。
【発明の概要】
【発明が解決しようとする課題】
【０００７】
上記の技術背景で述べたように構造用合板は壁倍率が大きく繰返し地震にも優れ耐震化住宅や耐震改修には安価で良いのだが他の面材と比べ透湿抵抗値が高いのが弱点で、構造用合板面で結露が起きると断熱材も湿り断熱性能が極端に低下することによって壁内結露への悪循環が起きるのである。
【０００８】
この壁内結露は主要な構造躯体である土台、柱、間柱、同差しを腐らせ建物全体を駄目にするし、また壁内結露は白蟻被害を引起す原因ともなっており如何に壁内結露が建物全体に深刻なダメージを与え、このことが地震時の住宅倒壊に結び付く原因ともなっているのである。
【０００９】
本発明は、耐震化住宅に安価で有利な構造用合板の弱点である透湿抵抗値を如何に低くし壁内結露を引起さない呼吸する壁工法を確立し社会に普及拡大を図ることで、震度７で繰返し地震があっても倒壊しない木質系住宅に必須な透湿抵抗値の低い構造用合板の提供を目的とするものである。
【課題を解決するための手段】
【００１０】
前記の目的を達成するため本発明は以下の技術的手段を講じた。
第１に、
透湿抵抗値を低くするために構造用合板の両面が孔貫通している。
または構造用合板の最終接着面までは孔加工するが最終層の板面だけは孔貫通しない構造用合板とした。
【００１１】
第２に、
円形の孔貫通は角度６０度の正三角形または逆正三角形をなす千鳥配列で孔貫通した構造用合板とした。
【００１２】
第３に、
円形の孔加工は角度６０度の正三角形または逆正三角形をなす千鳥配列で孔加工した構造用合板とした。
【００１３】
第４に、
孔貫通または孔加工の加工面の範囲は土台や柱、間柱、胴差し、梁、または枠に釘やネジ釘、接着で取付け固定する固定範囲幅を除いた構造用合板とした。
【００１４】
透湿抵抗値を低くするための孔貫通や孔加工は加工前の構造用合板の初期強度に対して弱くなるので初期強度を維持または必要強度を確保するために、孔貫通や孔加工の孔径の制限また千鳥配列の形状の制限管理が必要で、要求される壁倍率により構造用合板の厚みを増やすなど求められる透湿抵抗値と壁倍率の関係値から厳格な技術基準と品質基準の基で生産しなければならないことは言うまでもない。
なお、合板には厚さ毎に積層数のJIS基準があり下記のとおりとなっているが、一般的な構造用合板の標準積層数は５枚合わせとなっている。
・合板厚み１５ｍｍ未満は３枚合わせ以上
・合板厚み１５ｍｍ以上１８ｍｍ未満は４枚合わせ以上
・合板厚み１８ｍｍ以上２４ｍｍ未満は５枚合わせ以上
・合板厚み２４ｍｍ以上は７枚合わせ以上
【発明の効果】
【００１５】
本発明の構造用合板を用いて造る木質系住宅であれば呼吸する壁構成となり壁内結露を引起さない長寿命で地震に強い耐震化住宅が提供できる。
【図面の簡単な説明】
【００１６】
【図１】孔貫通構造用合板の平面図と断面図で孔貫通の千鳥配列の概念図
【図２】孔加工構造用合板の平面図と断面図で孔加工の千鳥配列の概念図
【発明を実施するための形態】
【００１７】
以下、本発明の実施形態を図１では実施例１を、また図２では実施例２を各図面に基づいて説明する。
【実施例１】
【００１８】
実施例１の図１（a）（ｂ）は５枚合わせの構造用合板に角度６０度の正三角形の各点を孔貫通し千鳥配列した加工途中の構造用合板１０１である。
孔貫通の千鳥配列で一列目は正三角形の頂点となっていて、二列目は底辺の二点となり整然と規則的に千鳥配列されていて頂点の孔貫通１１と１２そして孔貫通１９を結ぶと直線となっている。
二列目の底辺の孔貫通２１と２２の二点と他の孔貫通２９を結べば直線となっている。
底辺の孔貫通２１と２２は二列目ではあるが三列目の頂点の孔貫通２１と２２ともなり四列目また五列目と正三角形の孔貫通が規則的で整然と千鳥配列した構造用合板１０１となっている。
【００１９】
図１（ｂ）は５枚合わせの構造用合板１０１の孔貫通１１，１２を図示した断面図である。
孔貫通の孔径と正三角形の一辺の寸法は要求された透湿抵抗値と構造用合板１０１の強度値によって決まるが、孔径を大きくすることと正三角形の一辺の寸法を短くすることは構造用合板１０１の強度値を低下させることになる。
したがって、孔貫通の孔径と正三角形の一辺の寸法は品質上で構造用合板１０１の強度値を保てない場合には一段上またはその上の厚みを選定することにより要求される透湿抵抗値と強度値を確保することになる。
【００２０】
孔貫通の加工方法としてはいくつか考えられるが多くのドリルが千鳥配列された加工機で生産するかレーザー加工など前記加工方法に限定するものではない。
また、孔貫通の孔径は略５ｍｍを想定しているが正三角形の一辺の寸法を含め品質管理上で条件設定するもので限定していない。
次に、孔貫通の加工面の範囲は土台や柱、間柱、胴差し、梁、または枠に釘やネジ釘、接着等で取付け固定する固定範囲幅９５、９９を除いた構造用合板１０１となっている。
尚、図１（a）には間柱部分の固定範囲幅は図示していない。
【実施例２】
【００２１】
実施例２の図２（a）（ｂ）は５枚合わせの構造用合板に角度６０度の逆正三角形の各点を孔加工し千鳥配列した加工途中の構造用合板１０５である。
孔加工の千鳥配列で一列目は逆正三角形の底辺の二点となっていて、二列目は頂点となり整然と規則的に千鳥配列されていて底辺の二点の孔加工４１と４２そして孔加工４９を結ぶと直線となっている。
二列目の逆正三角形の頂点である孔加工５１と他の孔加工５９を結べば直線となっている。
頂点の孔加工５１と５２は二列目ではあるが三列目の底辺の孔加工５１と５２ともなり四列目また五列目と逆正三角形の孔加工が規則的で整然と千鳥配列した構造用合板１０５となっている。
【００２２】
図２（ｂ）は５枚合わせの構造用合板１０５の孔加工４１，４２を図示した断面図である。
孔加工の孔径と逆正三角形の一辺の寸法は要求された透湿抵抗値と構造用合板１０５の強度値によって決まるが、孔径を大きくすることと逆正三角形の一辺の寸法を短くすることは構造用合板１０５の強度値を低下させることになる。
したがって、孔加工の孔径と逆正三角形の一辺の寸法は品質上で構造用合板１０５の強度値を保てない場合には一段上またはその上の厚みを選定することにより要求される透湿抵抗値と強度値を確保することになる。
【００２３】
孔加工の加工方法としてはいくつか考えられるが多くのドリルが千鳥配列された加工機で生産するがこれを限定するものではない。
次に、孔加工の加工面の範囲は土台や柱、間柱、胴差し、梁、または枠に釘やネジ釘、接着等で取付け固定する固定範囲幅８５、８９を除いた構造用合板１０５となっている。
尚、図２（a）には間柱部分の固定範囲幅は図示していない。
【００２４】
次に、孔加工の深さは構造用合板の製造時に使用される接着材によって透湿抵抗値が高くなっているので接着材を完全に除去する深さまで孔加工する。
したがって構造用合板の最終接着面までは孔加工するが最終層の板面１００だけは貫通しない孔加工となっている。
この孔加工方法により一方の板面は孔加工が千鳥配列しているが、他方の最終層の板面１００は孔加工がない状態の構造用合板１０５となっている。
【００２５】
実施例１の孔貫通または実施例２の孔加工の孔径は略５ｍｍを想定しているが正三角形または逆正三角形の一辺の寸法を含め品質管理上で条件設定するもので限定していない。
また、実施例２の加工方法は貫通させない方法であればどのような加工方法を選択しても良い。
【産業上の利用可能性】
【００２６】
本発明の構造用合板であれは木質系住宅の耐震化住宅に活用できる他、結露しない住宅造りにより居住者の安全、安心、快適さの更なる改善が図られるので健康寿命が延びこれによって国民医療費の低減に結び付く可能が高い。
【符号の説明】
【００２７】
１１、１２，１９  孔貫通
２１，２２，２９  孔貫通
４１、４２，４９  孔加工
５１，５２、５９  孔加工
８５、８９  固定範囲幅
９５、９９  固定範囲幅
１００  最終層の板面
１０１  孔貫通の構造用合板
１０５  孔加工の構造用合板
【図１】
2018087411.tif 000003
【図２】
2018087411.tif 000004